(57)【特許請求の範囲】
【請求項１】
座台の下面に設けられ椅子の背面支柱に対して座台下面の前側を下方に開く開口より物品を収納・取出し可能な収納ケースと、収納ケースの開口を閉鎖し施錠可能な施錠手段とを備え、
施錠手段が鍵の挿入孔を有し、鍵の前記挿入孔への挿入により開錠し、鍵の挿入孔からの取り出しにより施錠し、
椅子の背面支柱の目立つ位置に設けられた可変マーカーと、該可変マーカーに電気的に接続され施錠手段の近傍に設けられ施錠手段の施錠・開錠に応じて可変マーカーを電気的に切り替えるマーカー切替手段とを有することを特徴とする錠付収納ケースを備える椅子。
【発明の詳細な説明】
【０００１】
【発明の属する技術分野】
本発明は、錠付収納ケースを備える椅子に関し、特に、セルフサービス方式またはバイキング方式等により、料理・飲食物等を客に提供するレストラン、飲食店、ホテルの食堂のテーブルに付随した椅子、または、宴会場や会議場等多数の知人・旧友または不特定の参加者と長時間にわたり同席する場所の椅子、さらにまた、劇場や空港の待合室等多数の人が長時間にわたり利用する場所に備えられた椅子等に、用いる錠付収納ケースを備える椅子に関する。
【０００２】
【従来の技術および発明が解決しようとする課題】
最近、レストラン、飲食店、ホテルの食堂等では、顧客に料理・飲食物をセルフサービスにより、またはバイキングにより提供するところがある。客は、このようなところで飲食をする場合、まず、飲食をするテーブルを決め、そこにハンカチまたは手袋等目印となる高価でないものを置き、携帯品や貴重品（以下単に物品という）は手に持ったり肩に掛けた状態で、好みの料理をあれこれと取りに回つた後にテーブルに帰ってくる。
しかしながら、好みの料理を取る際、携帯品や貴重品を手や肩に持つているため、料理を取るのが不便であるという問題点がある。また、携帯品や貴重品をテーブルの上や椅子の上に置いたまま、料理を取りに行くのは盗難の危険があるという問題点がある。
【０００３】
また、レストラン、飲食店、ホテルの食堂等で飲食時、とくに結婚披露宴や会合においては、携帯品や貴重品等を椅子の背もたれの支持柱に掛けたり、椅子の座台の後部上に置いたり、テーブルの端部にフックで掛けたり、または、テーブルや椅子の側の床上に置いたりして飲食をする。
しかしながら、物品を椅子の支持柱やテーブルの端等に掛けるのは盗難の危険があり、床面に置くのは物品の底面が汚れるとともに不衛生でもあり、また、椅子の座台の後部に置くのは座台上の座る面積が狭くなり座席が不安定になるという種々の問題点がある。
【０００４】
また、宴会場や会議場では、自己の席を立ち、遠くの席の知人や特定の人の所に行って話すとき、貴重品や持ち物を持ちながら、または自己の座席においた物品の盗難等に気を使いながら話しをしなければならないという問題点がある。
【０００５】
また、劇場で休憩時に席を立つ場合には、物品を持って行かなければならず、また、空港の待合室に子供連れ、または、老人・子供と行った場合など、電話を掛けたりトイレ等で一時的に中座し席を立ち、用を済ました後、戻ったときには席がなく、後は長時間立ったままで居なければならないという問題点がある。
【０００６】
本発明は、レストラン、飲食店、ホテルの食堂等で飲食時に、また、宴会場や会議場で席を立つ場合に、座席を確保後に、携帯品や貴重品等の盗難の不安もなく、物品を携帯することもなく、好みの料理や飲食物を選び・取りに行け、または、遠くの席の知人とゆっくり話しができ、かつ、飲食時に、盗難の不安もなく、物品の底面の汚れ等の心配もなく、さらに、飲食時には、椅子の座台を十分に利用し、ゆったりと、飲食を楽しむことができ、さらにまた、劇場や空港の待合室等で中座し、一時席を離れても席を失うこともない錠付収納ケースを備える椅子を提供することを目的とする。
【０００７】
【課題を解決するための手段】
本発明者は、レストラン、飲食店、ホテルの食堂等で飲食時におけるテーブル、および椅子の機能、飲食者の行動、心理、特に飲食時の環境、雰囲気等を考慮するとともに、経営側の立場も考慮し、かかる問題点を解決しうることを見い出し、本発明を完成するに至った。
【０００８】
すなわち本発明の錠付収納ケースを備える椅子は、座台の下面に設けられ椅子の背面支柱に対して座台下面の前側を下方に開く開口より物品を収納・取出し可能な収納ケースと、収納ケースの開口を閉鎖し施錠可能な施錠手段とを備え、施錠手段が鍵の挿入孔を有し、鍵の前記挿入孔への挿入により開錠し、鍵の挿入孔からの取り出しにより施錠し、椅子の背面支柱の目立つ位置に設けられた可変マーカーと、該可変マーカーに電気的に接続され施錠手段の近傍に設けられ施錠手段の施錠・開錠に応じて可変マーカーを電気的に切り替えるマーカー切替手段とを有することを特徴とするものである。
【００１３】
【発明の実施の形態】
本発明における構成部材は、椅子に人が座すとき腰を下ろす椅子の座台、人の背面が当たる背もたれ、人が腕を休ませる椅子の肘掛け部、でもよいし、また、座台を支持する前脚でも後脚でもよいし、さらにまた、背もたれを支持する背面支柱でもよい。さらにまた、前脚と後脚とを連結する補強梁でもよいし、背面支柱を補強する補強背面支柱でも、椅子を構成する部材であれば何でもよい。
【００１４】
本発明における構成部材の目立つ位置は、椅子の背もたれを支持し椅子を構成する背面支柱の上端（図１の１４ａ）、または、背面支柱の肩部で、人が椅子に座すときに目につき易い位置である。
【００１５】
本発明の椅子の構成部材に付帯して設けられた収納ケースは、椅子の構成部材である座台の内部に空間部を形成するように設けてもよいし、座台の下面（図１）に密着して設けた引出式のものでも、袋状のものでもよい、または、座台の下面から離隔してもよい。さらに、椅子の背もたれの内部（図５）でもよいし、または、外面でもよい、さらにまた、椅子構成材に付帯するものであれば椅子の肘掛けの下等、どの位置に設けてもよい。好ましくは椅子の座台の内部または座台の下面で、収納された物品が見えないような位置である。
また、収納ケースの形状は箱状でもよいし、袋状でもよいし、網状でもよいし、携帯品や貴重品を収納できるものであればよい。
【００１６】
本発明の椅子の収納ケースの開口は、座台下面の収納ケースの前側が下方に開くようにするのが好ましい（図１）が、これに限定するものではない。または、座台の上部を上方に蓋を開くように開口するようにしてもよい、また、収納ケースの側面でもよい、物品の収納取り出しが容易であればよい。
本発明の椅子の収納ケースの開口の開閉は、開口部にファスナを取り付けスライダを動かすことにより開閉するようにしてもよい。または、開口部の端部に一対の端板を取り付け、端板を開閉するようなものでもよいし、開口を開閉できるものであればよい。
【００１７】
本発明の施錠手段は、収納箱の開口を閉鎖後に開口端部の一対の端板にそれぞれ雄金具３７ａと雌金具３７ｂとを取り付け、雄金具の係合部を雌金具に係合させるいわゆる差込み錠３７（図４）であって、鍵３９を雌金具の鍵の挿入孔である鍵孔に挿入、取り出しにより開錠・施錠するものでもよい。
また、開口にファスナ（図６）を取り付け、スライダのつまみの環部に南京錠（図７）のつる部を通して施錠し、図示していない鍵の差し込み回転により開錠するようなものでもよい。
また、開口を開閉ドアにしていわゆる風呂屋錠（図８）または傘立錠のようなものを取り付けてもよい。さらにまた、開口の両端部に、てこ作用を用いた所謂パッチン錠（図９）を取り付けるようにしてもよい。
さらにまた、３または４個の数字または文字を合わせるいわゆる数字合錠（図１０）または文字合錠であってもよい、このときは座席番号とその席の錠の数字または文字を記載したメモを受付か管理者からもらい指定の座席に座ることになる。
さらにまた、電磁作用を用いた電磁錠、ホテルの部屋等の開閉に用いるカード式電子錠を取り付け、長方形または四角形等の任意形状の鍵を用いて開口を開閉するようにしてもよい。
【００１８】
また、本発明のマーカー切替手段は、施錠手段の開錠・施錠により可変マーカーを電気的に切り替えるものであり、差込み錠の場合、鍵を差し込み時には開錠されかつ可変マーカーは青色に点灯するか消灯し、鍵を抜くと施錠されるとともに電気的に切り替えられて、可変マーカーは青色から赤色に点灯するか消灯から点灯に変化するようなものでもよい。
また、施錠手段が電磁錠か電子錠の場合には、施錠・開錠に合わせて電気的に連動して切替えスイッチを切り替えるようにしたものでもよい。
【００１９】
【実施例】
以下、実施例により本発明を具体的に説明するが、本発明はこれらに限定されるものではない。
図１〜４は本発明の第１実施例を示す図である。図１において、１０は本発明の錠付収納ケースを備える椅子であり、錠付収納ケースを備える椅子１０は床面上にほぼ垂直に設けられた一対の前脚１１と、前脚の後方に前脚から離隔しかつ前脚に対応してほぼ垂直に設けられた一対の後脚１２と、後脚の上端１２ａから上方に一体的に延び椅子の座背面１３を支持してほぼ水平に中央側に湾曲し、上端中央部１４ａで一体的に連結した背面支柱１４と、を有している。
【００２０】
１５は可変マーカーであり、可変マーカー１５は構成部材である背面支柱１４の目立つ位置である上端中央部１４ａに設けられている。可変マーカー１５は後述の施錠手段の近傍に設けられた切替手段に電気的に接続しており、椅子が予約されたことを示す点灯マークである。可変マーカー１５は開錠時には青色マークであり、施錠されると赤マークになるものである。可変マーク１５は開錠時には点灯せず、施錠時のみ点灯するようにしてもよい。
【００２１】
前脚の上端部１１ａおよび後脚の上端部１２ａは、水平でほぼ方形に形成された前梁１６、後梁１７、２つの側梁１８により固定され、椅子の座台２０の四角形状骨格２１を形成している。側梁１８の下方には前脚１１および後脚１２に連結する補強梁２２が設けられている。
座台２０には、図示していないが、前記四角形状の骨格２１に張られた四角形状の強固な下側基布と、下側基布上に配置されたスポンジまたはスプリング等のクッション材とそのクッション材の上表面を覆う飾りクロス２５が設けられている。
椅子の座背面１３の中央部には、背面支柱１４にほぼ平行に補強背面支柱２６が設けられ、補強背面支柱２６間には、椅子上の座者の背面を支えるために、縦長の背もたれ２７が設けられている。背もたれ２７は内部にクッション材が設けられ、その表面を背飾りクロス２７により覆われている。
【００２２】
椅子１０の構成部材である座台２０の下部には、座台２０に付帯して収納ケース３０が設けられている。収納ケース３０は、上部は前記座台の下面を形成する下側基布からなり、下部は、図２に示すように骨格梁２１に対応する四角形状のケース枠３１と、ケース枠３１に張り付けられたケース底布３２とを有している。
ケース枠３１の後部枠３１ａは、２つの蝶番３４等により骨格枠２１の後梁１７に取り付けられ、ケース枠３１が回動自在になるように取り付けられている。ケース枠３１の回動により収納ケース１０の開口３５は開閉され物品の収納・取出しが可能になされている。
【００２３】
前梁１６の中央部とケース枠の前枠３１ｂには、図３、４に示すように、施錠手段である差込み錠３７が取り付けられている。差込み錠３７は雄金具３７ａと雌金具３７ｂとからなり、前梁１６には、下方に突出した係合部３７ａを有する雄金具３７ａが取り付けられ、前枠３１ｂには、係合部３７ａに係合する係合孔３７ｄを有する雌金具３７ｂが設けられている。そして、雄金具の係合部３７ｃを雌金具の係合孔３７ｄ内に挿入し雌金具のセットレバー３８をセットし、雌金具３７ｂの鍵の挿入孔である鍵孔に挿入されている鍵３９を鍵孔より取すことにより施錠されるようになっている。
差し込み錠３７の近傍には、前述の可変マーカー１５に電気的に接続され図示していないマーカー切替手段である電気的切替スイッチが設けられている。そして、鍵３９を鍵孔より取り出し施錠することにより、切替スイッチが作動し、切替スイッチと電気的に接続された前述の可変マーカー１５が青色マークから赤色マークに点灯されるようになされている。
また、鍵３９を雌金具３７ｂの鍵孔に挿入することにより、セットレバー３８は移動し開錠され、切替スイッチが作動し赤色マークは青色マークに切替えられるようになされている。
【００２４】
次に、作用につき説明する。
バイキング方式のレストランに入り、または、会議場、劇場または空港の待合い室で、適当な場所にある青色マークのマーカー１５の点灯した空席の椅子１０を見つけだすと、椅子１０の座台２０の下側の前枠３１ｂを下方に下げて収納ケース３０の開口３５を開ける。そして、手持ちの貴重品および品物等を収納ケース３０内に収納する。
次いで、前枠３１を上げて差込み錠３７の雄金具の係合部３７ｃを雌金具の係合孔３７ｄ内に挿入して係合させ、セットレバー３８をセットし、鍵３９を取り出す。鍵３９を取り出すことにより、切替スイッチが作動し、可変マーカー１５が青色マーカから赤色マーカに変化する。
【００２５】
手持ちの貴重品および物品は、収納箱内に収納しているので、床面で物品の底面が汚れることもなく、かつ、身軽になって料理を取りに行くことができる。また、席には、赤色マークが点灯しているので、席が予約されていることが解るので、ゆっくり十分に時間を掛けて好ましい料理を選ぶことができる。
また、会議場では、遠い席の知人の所に行きゆっくり挨拶や話しができ、また空港の待合い室では子供や老人をつれて安心して電話お掛けまたは用をたしに行ける。
また、収納ケースは施錠されているので、盗難の恐れもなく安心して席を離れることができる。さらに、収納ケースは座台の下面に設けられているので、座台の座る面積が狭くなることもなく、ゆったりとして飲食を楽しむことができる。また、マーカー切替手段の電気信号を管理室に送信することにより、さらに、ホテルまたは会議場の管理者は椅子の空席状態の管理にも適用することができる。
【００２６】
次に、本発明の第２実施例につき説明する。
図５〜７は本発明の錠付収納ケースを備える椅子４０を示す図である。
図５に示す椅子４０において、第１実施例と同じ構成には同じ符号をつけ詳細な説明を省略する。左右の背面支柱１４の中央には左右の背面支柱１４を連結する上補強梁４２と下補強梁４３とが設けられている。
【００２７】
上補強梁４２と下補強梁４３との間には、椅子上の座者の背面を支えるために、横長の背もたれ４５が設けられている。椅子の構成部材である背もたれ４５の内部には、図６に示すように、背もたれ４５に付帯して収納ケース４８が設けられている。収納ケース４８の外側にはクッション材が設けられ、その表面を背飾りクロス４６より覆われている。
背もたれ４５の上部には収納ケース４８の開口が設けられており、開口にはファスナ４９が設けられている。ファスナ４９は図６に示すように、開口を閉じる噛み合うムシ５０とムシの噛み合い、解除をするスライダ５１からなり、スライダのつまみには孔が設けられている。スライダ５１のつまみの孔とファスナの上止め金具５２に設けられた孔とに、図７に示す南京錠５４のツル５４ａを通して施錠する。
【００２８】
この場合にも、錠付収納ケースを備える椅子４０で食事をしたい者は、ファスナ４９のスライダ５１をスライドさせて開口を開け、手持ちの貴重品および物品を収納ケース４８内に収納し再びスライダ５１をスライドさせて開口を閉じる。次いで、スライダ５１のつまみの孔と上止め金具５２の孔とを南京錠で施錠する。このため、第１実施例と同様に、座席を確保後、手軽になり、ゆっくり時間を掛けて料理を選びかつ食事を楽しむことができる。
【００２９】
【発明の効果】
以上説明したように、本発明によれば、レストラン、飲食店、ホテルの食堂等で飲食時に、また、宴会場や会議場で席を立つ場合に、携帯品や貴重品は椅子の収納ケースの中に収納し開口を閉じ施錠し、可変マーカーが点灯し、席が予約されていることを示しているので、座席を確保後に、携帯品や貴重品等の盗難の不安もなく、物品を携帯することもなく、手軽になり、好みの料理や飲食物をゆっくり選び・取りに行け、または、遠くの席の知人とゆっくり話しができ、かつ、飲食時に、盗難の不安もなく、物品の底面の汚れ等の心配もなく、さらに、飲食時には、椅子の座台を十分に利用し、ゆったりと、飲食を楽しむことができる。また、食事を伴わない劇場や空港の待合室、ホテルの会議室等でも、本発明の椅子を用いることにより、例えば中座し、一時席を離れても席を失うこともなく、ゆっくり用を足すことができる。また、椅子の空席管理もできる。
【図面の簡単な説明】
【図１】本発明に係わる錠付収納ケースを備える椅子の第１実施例の全体斜視図。
【図２】図１に示す椅子の収納ケースの斜視図。
【図３】図１に示す椅子の錠取付け部の拡大正面図。
【図４】図１に示す椅子の差込み錠の拡大図であり、最上図はその雄金具の正面図、真ん中の図はその雌金具の正面図、最下図はその鍵の正面図である。
【図５】本発明に係わる錠付収納ケースを備える椅子の第２実施例の全体斜視図。
【図６】図５に示す椅子の背もたれの要部を示す図であり、（ａ）はその正面図、（ｂ）は（ａ）のＢＢ矢視断面図。
【図７】図５に示す椅子の収容ケースの開口を施錠する南京錠を示す拡大正面図。
【図８】風呂錠の分解図であり、（ａ）は係合金具の正面図、（ｂ）は本体正面図、（ｃ）は鍵の正面図。
【図９】パッチン錠の分解図であり、（ａ）はその正面図、（ｂ）はその側面図。
【図１０】数字合錠の正面図である。
【図１】
0004004092.tif 000002
【図２】
0004004092.tif 000003
【図３】
0004004092.tif 000004
【図４】
0004004092.tif 000005
【図５】
0004004092.tif 000006
【図６】
0004004092.tif 000007
【図７】
0004004092.tif 000008
【図８】
0004004092.tif 000009
【図９】
0004004092.tif 000010
【図１０】
0004004092.tif 000011